(57)【要約】【課題】内部に詰まったＩＣカードを強制排出する際に操作される操作レバーが通常動作時には動作しないように構成されたカード強制排出機構を備えた手動挿入式のＩＣカードリーダーライターを提案すること。【解決手段】ＩＣカードリーダーライター１のカード強制排出機構２０は、操作レバー２１とホルダ押出板２５を備え、操作レバー２１を第１位置２１Ａから第２位置２１Ｂにスライドすると、操作レバー２１がホルダロックレバー９に係合してカードホルダ５のロックが解除され、次に、ホルダ押出板２５が旋回してカードホルダ５を前方に押し出す。第１位置２１Ａに操作レバー２１が位置している状態では、操作レバー２１、ホルダ押出板２５はホルダロックレバー９、カードホルダ５から切り離されており、これらに連動して移動することはない。【選択図】図１
2008083929.tif 000002
【特許請求の範囲】
【請求項１】
カード挿入口と、
このカード挿入口からカード型記憶媒体を押し込むと、当該カード型記憶媒体と共に押し込まれるカードホルダと、
このカードホルダが所定量押し込まれると、当該カードホルダに係合して当該カードホルダをその押し込み位置にロックするホルダロックレバーと、
このホルダロックレバーを、前記カードホルダとの係合が解除されるロック解除方向に移動させるためのロック解除部材と、
前記ホルダロックレバーとの係合が解除された前記カードホルダを前記カード挿入口に向けて押し出すためのカード排出用付勢部材と、
挿入されたカード型記憶媒体を強制的に排出するためのカード強制排出機構とを有し、
このカード強制排出機構は、
第１位置から第２位置に向けて操作可能な操作レバーと、
この操作レバーを前記第１位置に保持している保持用付勢部材と、
前記操作レバーの動きを、前記ホルダロックレバーをロック解除方向に移動させる力として伝え、当該ホルダロックレバーのロック解除後における前記操作レバーの動きを前記カードホルダを前記カード挿入口に向けて押し出す力として伝えるリンク機構とを備え、
前記操作レバーが前記第１位置にある状態では、前記リンク機構における前記ホルダロックレバーとの係合部は当該ホルダロックレバーの移動範囲から外れた位置にあり、当該リンク機構における前記カードホルダとの係合部は当該カードホルダの移動範囲から外れた位置にあることを特徴とするカードリーダーライター。
【請求項２】
請求項１において、
前記リンク機構は、
前記操作レバーに形成した第１係合部および第２係合部と、
前記第１位置から前記第２位置に向けて移動する前記操作レバーの前記第１係合部に係合して前記ホルダロックレバーを前記ロック解除方向に移動させるように、前記ホルダロックレバーに形成した第１被係合部と、
前記カードホルダを前記カード挿入口に向けて押し出すためのホルダ押出部材と、
前記ホルダロックレバーがロック解除状態になった後に、前記第２位置に向けて移動する前記操作レバーの前記第２係合部に係合して前記カードホルダの押出動作を開始するように、前記ホルダ押出部材に形成した第２被係合部とを備えていることを特徴とするカードリーダーライター。
【請求項３】
請求項２において、
前記ホルダロックレバーの前記第１被係合部は、第１被係合面および第２被係合面を備えており、
前記操作レバーの前記第１係合部は、前記第１被係合面に係合して前記ホルダロックレバーを前記ロック解除方向に移動させてロック解除状態が形成された後は、前記第２被係合面に係合して、前記ホルダロックレバーをその位置に保持することを特徴とするカードリーダーライター。
【請求項４】
請求項１ないし３のうちのいずれかの項において、
前記ロック解除部材は電磁ソレノイドであり、
この電磁ソレノイドの復帰用ばね力によって、前記ホルダロックレバーは前記カードホルダに係合する方向に付勢されていることを特徴とするカードリーダーライター。
【発明の詳細な説明】
【技術分野】
【０００１】
本発明は、遊技媒体の貸し出し処理をカード型記憶媒体を用いたプリペイド方式により行う場合などに用いられるカードリーダーライターに関し、特に、内部に詰まったカード型記憶媒体を強制排出するためのカード強制排出機構の改良に関するものである。
【背景技術】
【０００２】
ＩＣメモリチップが内蔵されたＩＣカードを用いてプリペイド方式により遊技媒体の貸し出し処理を行うことのできる遊技台用台間機が知られている。かかる遊技台用台間機では、ＩＣカードに対して情報の読み書き処理を行うためのカードリーダーライターが組み込まれており、例えば、利用者が紙幣などの金銭を投入すると、カードリーダーライターによって投入金額情報がＩＣカードに書き込まれた後に、当該ＩＣカードが発行されるようになっている。
【０００３】
ＩＣカードリーダーライターは例えば特許文献１に開示されている。当該特許文献１の従来の技術の欄には、カード出入口から手動操作によって内部に挿入したＩＣカードがばね力によって排出されないようにロックしているロック爪を電磁ソレノイドによってロック解除位置に移動させて、ＩＣカードをイジェクトするＩＣカードリーダーライターが開示されている。また、当該特許文献１には、ＩＣカードをカード出入口に挿入すると、駆動モータが駆動して送りローラ対によってＩＣカードが自動挿入され、内部に挿入されたＩＣカードを排出する場合にも送りローラ対によってＩＣカードが自動排出される構成のＩＣカードリーダーライターが開示されている。さらに、駆動モータを用いてＩＣカードの挿入および排出を行うＩＣカードリーダーライターにおいて、内部に詰まったＩＣカードを強制排出するためのカード強制排出機構が開示されている。ここに開示のカード強制排出機構は、内部に挿入されているＩＣカードに係合可能な係合部を備えたカード取出部材から構成されており、このカード取出部材を手動により引くと、内部に詰まっているＩＣカードを強制的に排出できるようになっている。
【特許文献１】特開平８−２３５３２７号公報
【発明の開示】
【発明が解決しようとする課題】
【０００４】
遊技台用台間機は、遊技台の間の狭いスペースに配置されるので、設置スペースに余裕がない。したがって、このような設置スペースに制約のある機器に組み込まれるカードリーダーライターも可能な限り、小型でコンパクトなものとすることが望ましい。送りローラ対、駆動モータなどのカード自動搬送機構が備わっていると、小型・コンパクト化が困難である。したがって、カード自動搬送機構を省略して、手動操作によってカードを挿入する手動挿入式のカードリーダーライターを用いることが望ましい。
【０００５】
手動挿入式のカードリーダーライターにおいては、電磁ソレノイドなどのロック解除機構が故障し、あるいは給電が停止した場合には、挿入されているＩＣカードを排出できない。また、挿入したＩＣカードに大きな反りなどがあると、内部にＩＣカードが詰まり、ばね力だけではＩＣカードを排出できないこともある。したがって、手動挿入式のカードリーダーライターにおいてもカード強制排出機構が搭載されていることが望ましい。
【０００６】
ここで、上記の特許文献１に記載されているようなカード強制排出機構は、駆動モータを備えた自動挿入式のＩＣカードリーダーライターに適したものであり、これをそのまま手動挿入式のＩＣカードリーダーライターに用いることができない。すなわち、手動挿入式の場合には、挿入されたＩＣカードを挿入位置にロックするためのロック機構が備わっており、内部に詰まったＩＣカードを押し出す操作だけでは当該ＩＣカードを排出できず、ロック機構によるロックを解除する必要がある。
【０００７】
そこで、ロック機構に連動するようにカード取出部材を取り付け、カード取出部材を操作すると、ロック機構によるＩＣカードのロック状態も解除できるようにすることが考えられる。しかしながら、このようなカード強制排出機構の場合には、通常のＩＣカードの挿入排出動作において、ロック機構に連動して、カード強制排出機構の構成部材であるカード取出部材が不必要に動作してしまう。
【０００８】
カード取出部材は手動で操作できるように、ＩＣカードリーダーライターのケースから外部に露出しており、これが不必要に動作すると、塵などの異物がケース内部に侵入する危険性がある。ケース内に侵入した異物がロック機構、カード取出部材の支軸などに詰まると、これらの部材の駆動負荷が増加し、例えば、ロック機構を解除するためのロック解除用の電磁ソレノイドの負荷が増え、ロック解除動作に支障を来たす危険性もある。また、このような弊害が生じない場合であっても、電磁ソレノイドには、ロック機構に連動するカード取出部材による不必要な負荷が常に作用することになってしまう。
【０００９】
本発明の課題は、このような点に鑑みて、内部に詰まったＩＣカードを強制排出する際に操作される操作レバーが通常のカード挿入排出のための動作時には動作しないように構成されたカード強制排出機構を備えた手動挿入式のＩＣカードリーダーライターを提案することにある。
【課題を解決するための手段】
【００１０】
上記の課題を解決するために、本発明のカードリーダーライターは、カード挿入口と、このカード挿入口からカード型記憶媒体を押し込むと、当該カード型記憶媒体と共に押し込まれるカードホルダと、このカードホルダが所定量押し込まれると、当該カードホルダに係合して当該カードホルダをその押し込み位置にロックするホルダロックレバーと、このホルダロックレバーを、前記カードホルダとの係合が解除されるロック解除方向に移動させるためのロック解除部材と、前記ホルダロックレバーとの係合が解除された前記カードホルダを前記カード挿入口に向けて押し出すためのカード排出用付勢部材と、挿入されたカード型記憶媒体を強制的に排出するためのカード強制排出機構とを有している。
【００１１】
また、本発明のカード強制排出機構は、第１位置から第２位置に向けて操作可能な操作レバーと、この操作レバーを前記第１位置に保持している保持用付勢部材と、前記操作レバーの動きを、前記ホルダロックレバーをロック解除方向に移動させる力として伝え、当該ホルダロックレバーのロック解除後における前記操作レバーの動きを前記カードホルダを前記カード挿入口に向けて押し出す力として伝えるリンク機構とを備えている。
【００１２】
さらに、本発明のカード強制排出機構においては、前記操作レバーが前記第１位置にある状態では、前記リンク機構における前記ホルダロックレバーとの係合部は当該ホルダロックレバーの移動範囲から外れた位置にあり、当該リンク機構における前記カードホルダとの係合部は当該カードホルダの移動範囲から外れた位置にあることを特徴としている。
【００１３】
本発明のカードリーダーライターでは、カード強制排出機構の操作レバーが、ロックレバーおよびカードホルダから切り離された状態にあり、通常は、ロックレバーおよびカードホルダが移動しても操作レバーが移動することはない。操作レバーを第１位置から第２位置に向けて操作すると、当該操作レバーの動きを伝えるためのリンク機構が、ホルダロックレバーおよびカードホルダに係合して、ホルダロックレバーが強制的に移動させられてカードホルダのロックが解除され、しかる後に、カードホルダがカード挿入口に向けて強制的に押し出される。
【００１４】
したがって、カード強制排出機構の操作レバーおよびリンク機構は、通常のカード挿入・排出動作時には動作しない。これらの部分が不必要に動作することに起因して発生する、埃などの異物が内部に侵入するなどの弊害を回避できる。また、操作レバーおよびリンク機構はホルダロックレバーから切り離されているので、ホルダロックレバーに連結されている電磁ソレノイドなどのロック解除部材に、これらの部分の負荷が作用することもないので、ロック解除部材に不必要な負荷が作用することも防止できる。
【００１５】
ここで、本発明のカードリーダーライターにおける前記リンク機構は、前記操作レバーに形成した第１係合部および第２係合部と、前記第１位置から前記第２位置に向けて移動する前記操作レバーの前記第１係合部に係合して前記ホルダロックレバーを前記ロック解除方向に移動させるように、前記ホルダロックレバーに形成した第１被係合部と、前記カードホルダを前記カード挿入口に向けて押し出すためのホルダ押出部材と、前記ホルダロックレバーがロック解除状態になった後に、前記第２位置に向けて移動する前記操作レバーの前記第２係合部に係合して前記カードホルダの押出動作を開始するように、前記ホルダ押出部材に形成した第２被係合部とを備えた構成とすることができる。
【００１６】
この場合には、前記ホルダロックレバーの前記第１被係合部を、第１被係合面および第２被係合面を備えたものとし、前記操作レバーの前記第１係合部が、前記第１被係合面に係合して前記ホルダロックレバーを前記ロック解除方向に移動させてロック解除状態が形成された後は、当該第１係合部を前記第２被係合面に係合させて、前記ホルダロックレバーをその位置に保持することが望ましい。このようにすれば、ホルダロックレバーをロック解除状態に保持できると共に、ホルダロックレバーが必要以上に移動してしまうことを回避できる。ホルダロック部材が必要以上に移動する場合には、そのためのスペースを確保しておく必要があり、小型化、レイアウトの自由度の点で不利になってしまう。
【００１７】
なお、前記ロック解除部材としては電磁ソレノイドを用いることができ、この電磁ソレノイドの復帰用ばねのばね力によって、前記ホルダロックレバーを前記カードホルダに係合する方向に付勢しておけばよい。
【発明の効果】
【００１８】
本発明のカードリーダーライターでは、カード強制排出機構の操作レバーおよびリンク機構が、ロックレバーおよびカードホルダから切り離された状態にあり、通常は、ロックレバーおよびカードホルダが移動しても、操作レバーおよびリンク機構が動作することはない。したがって、本発明によれば、カード強制排出機構の操作レバーなどの部材が通常の動作時には動作しないので、これらが不必要に動作することに起因して発生する異物侵入などの弊害を回避できる。また、操作レバー、リンク機構の負荷が、電磁ソレノイドなどのロック解除部材に作用することも回避できる。
【発明を実施するための最良の形態】
【００１９】
以下に、図面を参照して、本発明の実施の形態に係るＩＣカードリーダーライターを説明する。なお、ＩＣカード以外の磁気カードなどのカード型記憶媒体を取り扱うためのカードリーダーライターに対しても本発明を同様に適用可能なことは勿論である。
【００２０】
図１および図２はＩＣカードリーダーライターの内部構造を示す図であり、図１(ａ)はＩＣカードが挿入される前の状態を示す概略構成図であり、図１(ｂ)はカード強制排出機構の部分を示す部分斜視図であり、図２はＩＣカードが挿入されて内部まで押し込まれた後の状態を示す概略構成図である。
【００２１】
これらの図を参照して説明すると、ＩＣカードリーダーライター１は扁平な略矩形のケース２を備え、この内部に各構成部品が組み付けられている。ケース２の前端面３にはカード挿入口４が形成されている。カード挿入口４が形成されている前端面部分は、その上下方向の中央部分がカード挿入方向に凹状となっており、ＩＣカード１００の挿入および取り出しが容易となっている。
【００２２】
ケース２の内部には、カード挿入口４から挿入されるＩＣカード１００を受け入れ可能なカードホルダ５が配置されている。このカードホルダ５は、ケース２内を、その前端側のカード受け入れ位置５Ａから、その後端側のカード押し込み位置５Ｂまでの間で、前後方向にスライド可能でケース２に取り付けられている。カードホルダ５とケース２の間には、前後方向に水平に延びる引張りコイルばね６が架け渡されている。カード挿入口４からＩＣカード１００を挿入すると、引張りコイルばね６を伸長させながらカードホルダ５を後方に押し込むことができる。
【００２３】
カードホルダ５の後方には、カードホルダ５をカード押し込み位置５Ｂにロックするためのホルダロック機構７が組み込まれている。ホルダロック機構７は、支軸８を中心として上下方向に旋回可能なホルダロックレバー９と、このホルダロックレバー９を上下に旋回させるための電磁ソレノイド１０を備えている。ホルダロックレバー９における支軸８よりも前側の腕部分９ａは、カードホルダ５の側面に沿って前方に延びており、その下端面部分には下方および後方に向けて突出したレバー側係合爪９ｂが形成されている。カードホルダ５の側面には、レバー側係合爪９ｂが前側から係合可能なホルダ側係合爪５ａが形成されている。このホルダ側係合爪５ａは、水平な上端面５ｂと、この上端面５ｂの前端縁から下方および後方に延びる傾斜前端面５ｃとによって規定されている。
【００２４】
ＩＣカード１００が挿入される前においては、ホルダロックレバー９のレバー側係合爪９ｂは、電磁ソレノイド１０の復帰ばね力によって、ホルダ側係合爪５ａの上端面５ｂに上側から押し付けられた状態９Ａ(図１に示す状態)となっている。カードホルダ５が後方に押し込まれると、ホルダロックレバー９のレバー側係合爪９ｂが上端面５ｂから前側に外れて、ホルダ側係合爪５ａに前方から係合し、カードホルダ５の前方への移動が阻止されたロック状態９Ｂになる(図２に示す状態)。電磁ソレノイド１０を励磁すると、ホルダロックレバー９が上方に旋回してロック状態が解除される。この結果、カードホルダ５は引張りコイルばね６(カード排出用付勢部材)のばね力によって前端側のカード受け入れ位置５Ａに戻る。
【００２５】
カード挿入口４が形成されている前端面３の下端部分には、引抜防止シャッター１１が配置されている。引抜防止シャッター１１は、挿入されたＩＣカード１００が不用意に引き抜かれてしまうことを防止するためのものである。引抜防止シャッター１１は、ケース２に回転自在に支持されている垂直軸１１ａを中心としてケース幅方向(図面に垂直な方向)に旋回可能である。また、引抜防止シャッター１１における垂直軸１１ａよりも後側の部位は、不図示のカム機構を介して、カードホルダ５の前側下端部分から前方に延びている延長部５ｄに連結されている。カードホルダ５がカード受け入れ位置５Ａにある状態では、引抜防止シャッター１１の垂直軸１１ａよりも前側の部分１１ｂがカード挿入口４から退避している。カードホルダ５がカード押し込み位置５Ｂまで押し込まれると、当該部分１１ｂがカード挿入口４内に突出して当該カード挿入口４を封鎖して、ＩＣカード１００が引き抜かれることを阻止可能である。
【００２６】
ケース２の内部におけるカード挿入口４の上端側の近傍位置には、カードストッパ１２が配置されている。カードストッパ１２は上下方向に旋回可能な状態でケース２に取り付けられており、捻りばね１３によって下方に付勢されている。カードストッパ１２の下端面部分は挿入されたＩＣカード１００の上端面に当接可能なカード押し付け面１２ａとなっている。挿入されたＩＣカード１００はカードストッパ１２によって押し付けられて、ガタ付き無くカードホルダ５に保持された状態に維持され、この状態で内部に押し込まれる。
【００２７】
なお、挿入されたＩＣカード１００によって押し上げられたカードストッパ１２の先端部分１２ｂは、その上側に配置されているホトセンサ１４の検出位置に進入するようになっている。ホトセンサ１４によってＩＣカード１００が挿入されたことが検出される。また、ホルダロックレバー９には、その支軸８の下側位置から下方に延びている検出片９ｃが形成されている。ホルダロックレバー９がロック状態９Ｂに移動すると、支軸８の下方位置に配置されているホトセンサ１５の検出位置から検出片９ｃが外れた位置となり、これにより、ホルダロックレバー９がロック状態９Ｂになったこと、すなわち、カードホルダ５がカード押し込み位置５Ｂに押し込まれて、そこにロックされたことが検出される。
【００２８】
(カード強制排出機構)
ここで、挿入されたＩＣカード１００に大きな反りなどの変形がある場合には、挿入されたＩＣカード１００が内部に詰まってしまうことがある。この状態では、ホルダロック機構７を解除しても、引張りコイルばね６のばね力のみでは、ＩＣカード１００および当該ＩＣカード１００が保持されているカードホルダ５をカード挿入口４の側のカード受け入れ位置５Ａまで戻すことができない場合がある。また、ホルダロック機構７の電磁ソレノイド１０が故障して動作しなくなった場合、電磁ソレノイド１０への給電が止まり電磁ソレノイド１０が駆動しない場合などにおいても、ロックを解除できずに、ＩＣカード１００を保持しているカードホルダ５をカード受け入れ位置５Ａに戻すことができない場合がある。
【００２９】
本例のＩＣカードリーダーライター１は、このような場合に、カードホルダ５を強制的にカード受け入れ位置５Ａに戻してＩＣカード１００を取り出すためのカード強制排出機構２０を備えている。本例のカード強制排出機構２０はケース２の内部における後端部の上方の部位に組み込まれており、その操作レバー２１を操作すると、ホルダロックレバー９によるカードホルダ５のロックを解除するロック解除動作と、ロックが解除されたカードホルダ５を前方に押し出すホルダ押出動作が連続して行われるように構成されている。
【００３０】
図３は、カード強制排出機構２０によってカードホルダ５のロックが解除された後の状態を示す概略構成図である。図４は、カード強制排出機構２０によってロックが解除された後のカードホルダ５が前方に押し出された状態を示す概略構成図である。主として、図１(ｂ)、図３および図４を参照してカード強制排出機構２０の構成および動作を説明する。
【００３１】
カード強制排出機構２０の操作レバー２１は、ケース２の内部の後端部の上方位置に配置されており、前方側の第１位置２１Ａ(図１、２参照)と後方側の第２位置２１Ｂ(図４参照)の間をスライド可能にケース２に取り付けられている。操作レバー２１は、ここと、これよりも前側のケース２の部位との間に架け渡した引張りコイルばね２２(保持用付勢部材)によって、常に前方側の第１位置２１Ａに保持されている。この操作レバー２１の一方の側面２１ａの上半部分には、垂直方向に延びる複数の凹凸部からなる指掛け部２３が形成されている。この指掛け部２３はケース２から外部に露出しており、操作者は当該指掛け部２３に指を掛けて、操作レバー２１をケース後端に当たった第２位置２１Ｂまでスライドさせることが可能である。
【００３２】
カード強制排出機構２０は、操作レバー２１の第１位置２１Ａから第２位置２１Ｂに向かう動きを、ホルダロックレバー９をロック解除方向に移動させる力として伝え、当該ホルダロックレバー９のロック解除後における操作レバー２１の動きをカードホルダ５をカード挿入口４に向けて押し出す力として伝えるリンク機構を備えている。本例のリンク機構は次のように構成されている。
【００３３】
まず、操作レバー２１における一方の側面２１ａの下半部分からは矩形の係合突起２４(第１係合部)が側方に突出している。この係合突起２４の後方には、ロック解除状態９Ａ(図１参照)にあるホルダロックレバー９における支軸８よりも後側の後側腕部の上端部９ｄが位置している。操作レバー２１を後方に所定量だけスライドさせると、係合突起２４が上端部９ｄ(第１被係合部)の前端面部分９ｅ(第１被係合面)に当るようになっている。係合突起２４が前端面部分９ｅに当った後は、操作レバー２１を後方にスライドさせる動作に伴って、ホルダロックレバー９は後方に押されて、支軸８を中心としてロック解除方向に旋回して、カードホルダ５のロックが解除される。
【００３４】
係合突起２４は、ホルダロックレバー９の上端部９ｄを後方に押し込んでロック解除状態に移行させた後は、その上端面部分９ｆ(第１被係合面)に乗り上げる。図３にはこの状態を示してある。この後は、上端面部分９ｆに沿って後方に移動する。したがって、ホルダロックレバー９は当該ロック解除姿勢９Ｃに保持される。
【００３５】
次に、操作レバー２１における側面２１ａとは反対側の部位には、ホルダ押出板２５が配置されている。このホルダ押出板２５は、支軸２６を中心として前後方向に旋回可能な状態でケース２に取り付けられている。ホルダ押出板２５における支軸２６より上側の部位には前後方向に長いガイド穴２５ａ(第２被係合部)が形成されている。操作レバー２１におけるガイド穴２５ａに対峙している側面には、係合突起２４と同一位置から係合ピン２７(第２係合部)が突出して当該ガイド穴２５ａ内にスライド可能な状態で差し込まれている。一方、ホルダ押出板２５における支軸２６よりも下側の部位には、前方および下方に向けて突出した係合腕２５ｂが形成されている。
【００３６】
ここで、操作レバー２１が前方側の第１位置２１Ａにある状態では、その係合ピン２７が、ホルダ押出板２５のガイド穴２５ａにおける前端側の縁に当っている。また、ホルダ押出板２５の下側の係合腕２５ｂは、その先端が、カード押し込み位置５Ｂに位置しているカードホルダ５の後端面５ｅに当接可能な位置にある。操作レバー２１を後方にスライドさせて、その係合ピン２７がホルダ押出板２５のガイド穴２５ａの後端側の縁に当った後は、操作レバー２１のスライドに連動して、ホルダ押出板２５が支軸２６を中心として後方に押される。
【００３７】
本例では、図３に示すように、操作レバー２１の係合突起２４がホルダロックレバー９の上端面部分９ｆに乗り上げた時点において、係合ピン２７がガイド穴２５ａの後端側の縁に当るように設定されている。この後は、操作レバー２１のスライドに連動して、ホルダ押出板２５の下側の係合腕２５ｂが前方に押し出される。この結果、当該係合腕２５ｂによって、カード押し込み位置５Ｂに位置しているカードホルダ５が前方に向けて押し出される。図４にはこの状態が示されており、この状態では、カードホルダ５に保持されているＩＣカード１００におけるカード挿入口４の側の端部分が、当該カード挿入口４から所定量だけ突出しており、操作者が指で当該部分を把持して、引き出すことが可能である。
【００３８】
以上説明したように、本例のＩＣカードリーダーライター１にはカード強制排出機構２０が備わっており、ＩＣカード１００が内部に詰まった場合、電磁ソレノイド１０が故障してカードホルダ５のロックを解除できない場合などにおいては、操作レバー２１を手で操作することにより、ＩＣカード１００を強制的に排出することができる。
【００３９】
カード強制排出機構２０の操作レバー２１は前後方向にスライド可能であるが、常時は、引張りコイルばね２２によって前方側の第１位置２１Ａに保持されている。この状態においては、カード強制排出機構２０のリンク機構におけるカードホルダ５との係合部(係合腕２５ｂ)はカードホルダ５の移動範囲から外れた位置にある。すなわち、カード押し込み位置５Ｂに位置しているカードホルダ５の後端面５ｅの後側に位置している。よって、ＩＣカード１００の出し入れに伴ってカードホルダ５が移動しても、当該カードホルダ５によってホルダ押出板２５が移動することはなく、操作レバー２１も移動しない。
【００４０】
また、リンク機構におけるホルダロックレバー９との係合部として機能する操作レバー２１の係合突起２４も、当該ホルダロックレバー９の移動範囲から外れた位置にある。したがって、カードホルダ５の移動に伴ってホルダロックレバー９が旋回しても、その後側の上端部９ｄが操作レバー２１の係合突起２４に当ることはないので、操作レバー２１が移動することがない。
【００４１】
このように、カード強制排出機構２０の構成部品である操作レバー２１およびホルダ押出板２５は、通常のＩＣカード１００の出し入れ時には移動せず、カードホルダ５から切り離されており、また、ホルダロック機構７の構成部品であるホルダロックレバー９および電磁ソレノイド１０からも切り離されている。この結果、操作レバー２１が不必要に動作して、操作レバー２１を外部に露出させているケース２の開口部から埃などの異物が内部に侵入して、操作レバー２１のスライド部分、ホルダロックレバー９の支軸８の部分などに付着して、これらの円滑な動作が阻害されるという弊害を回避できる。また、操作レバー２１、ホルダ押出板２５の負荷が電磁ソレノイド１０に作用してその駆動負荷が増加してしまうなどの弊害も回避できる。
【００４２】
また、本例では、図３、４に示すように、ホルダロックレバー９がロック解除姿勢９Ｃになった後は、それ以上旋回することがなく、その状態に保持される。ホルダロックレバー９の移動範囲を抑制して、その移動のためのスペースを少なくしてあるので、カードリーダーライター１の小型化、レイアウトの自由度の点で有利である。
【図面の簡単な説明】
【００４３】
【図１】(ａ)は本発明を適用したＩＣカードリーダーライターにおけるＩＣカードが挿入される前の状態を示す概略構成図であり、(ｂ)はそのカード強制排出機構の主要部分を示す部分斜視図である。
【図２】図１のＩＣカードリーダーライターにおけるＩＣカードが挿入されて内部まで押し込まれた後の状態を示す概略構成図である。
【図３】図１のＩＣカードリーダーライターにおけるカード強制排出機構によってカードホルダのロックが解除された後の状態を示す概略構成図である。
【図４】図１のＩＣカードリーダーライターにおけるカード強制排出機構によってロック解除後のカードホルダが前方に押し出された後の状態を示す概略構成図である。
【符号の説明】
【００４４】
１    ＩＣカードリーダーライター
２    ケース
３    前端面
４    カード挿入口
５    カードホルダ
５Ａ  カード受け入れ位置
５Ｂ  カード押し込み位置
５ａ  ホルダ側係合爪
５ｂ  上端面
５ｃ  傾斜前端面
５ｄ  延長部
６    引張りコイルばね
７    ホルダロック機構
８    支軸
９    ホルダロックレバー
９Ａ  ロック解除状態
９Ｂ  ロック状態
９Ｃ  ロック解除姿勢
９ａ  腕部分
９ｂ  レバー側係合爪
９ｃ  検出片
９ｄ  上端部
９ｅ  前端面部分
９ｆ  上端面部分
１０  電磁ソレノイド
１１  引抜防止シャッター
１１ａ  垂直軸
１１ｂ  部分
１２  カードストッパ
１２ａ  カード押し付け面
１３  捻りばね
１４、１５  ホトセンサ
２０  カード強制排出機構
２１  操作レバー
２１Ａ  第１位置
２１Ｂ  第２位置
２１ａ  側面
２２  引張りコイルばね
２３  指掛け部
２４  係合突起
２５  ホルダ押出板
２５ａ  ガイド穴
２５ｂ  係合腕
２６  支軸
２７  係合ピン
【図１】
2008083929.tif 000003
【図２】
2008083929.tif 000004
【図３】
2008083929.tif 000005
【図４】
2008083929.tif 000006